(57)【要約】      （修正有）【課題】振動に対する不安定な動作を軽減し、装置の耐久性及び動作の信頼性を向上させることができるＧＭ冷凍機を提供する。【解決手段】シリンダ１に固定されたクランクケース３と、クランクケース３に収容されると共に回転中心から偏心した偏心部５２を有するカムシャフト５と、ディスプレーサ２と偏心部５２とを連結させる連結ロッド４と、カムシャフト５と連結し駆動装置７の駆動力をカムシャフト５に伝達する駆動軸６と、シリンダ１と圧縮機の間に配置された圧力切替弁機構と、を備えるＧＭ冷凍機であって、駆動軸６は、クランクケース３の一方の壁部を構成する一方壁部に回転可能に支持され、カムシャフト５の一端部は駆動軸６に連結され、カムシャフト５の他端部は前記一端部と同軸上で、一方壁部に対向するクランクケース３の他方壁部に回転可能に支持されている。【選択図】図１
2014006001.tif 000002
【特許請求の範囲】
【請求項１】
シリンダと、
前記シリンダ内に往復動可能に配置されると共に、蓄冷器が内蔵されたディスプレーサと、
前記シリンダに固定されたクランクケースと、
前記クランクケースに収容されるとともに、回転中心から偏心した偏心部を有するカムシャフトと、
前記ディスプレーサと前記偏心部とを連結させる連結ロッドと、
駆動装置と、
前記カムシャフトと連結し前記駆動装置の駆動力を前記カムシャフトに伝達する駆動軸と、
作動ガスを圧縮する圧縮機と、
前記シリンダと前記圧縮機の間に配置された圧力切替弁機構と、
を備えるＧＭ冷凍機であって、
前記駆動軸は、前記クランクケースの一方の壁部を構成する一方壁部に回転可能に支持され、
前記カムシャフトの一端部は、前記駆動軸に連結され、
前記カムシャフトの他端部は、前記一端部と同軸上で、前記一方壁部に対向する前記クランクケースの他方壁部に回転可能に支持されているＧＭ冷凍機。
【請求項２】
請求項１において、
前記カムシャフトの一端部は、前記駆動軸に連結されると共に、前記一方壁部に回転可能に支持されているＧＭ冷凍機。
【請求項３】
請求項１又は２において、
前記カムシャフトは、前記駆動軸に連結される接続部と、前記接続部から偏心した前記偏心部と、前記偏心部から前記他方壁部まで延びる延長部と、を備え、
前記偏心部は、前記駆動軸と同軸上で前記他方壁部から前記一方壁部に向かって見た場合に、全体が前記接続部の内側に位置しているＧＭ冷凍機。
【発明の詳細な説明】
【技術分野】
【０００１】
本発明は、ＧＭ冷凍機に関する。
【背景技術】
【０００２】
ＧＭ冷凍機（ギフォードマクマホン冷凍機）は、駆動装置とカムシャフト等によりディスプレーサを往復動させ、圧縮機でシリンダ内に作動ガスを流入出させることにより、冷凍作用を発生させる装置である。ＧＭ冷凍機では、カムシャフトと駆動装置の駆動軸とが連結され、カムシャフトとディスプレーサが連結ロッドを介して連結されている。一般に、カムシャフトと連結する駆動軸の先端部分は、カムシャフトを収容するクランクケース又は駆動装置のハウジングにより回転可能に支持されている。
【０００３】
また、特開平７−３５０７０号公報（特許文献１）に記載のＧＭ冷凍機では、モータの駆動軸がクランクケースの側壁に支持され、一端が駆動軸に連結されたカムシャフトの他端側には、バルブの開閉動作を行わせるロータリバルブディスクが配置されている。カムシャフトの他端側は、偏心した状態でロータリバルブディスクに接続されることで、ロータリバルブディスクを回転させる。
【先行技術文献】
【特許文献】
【０００４】
【特許文献１】特開平７−３５０７０号公報
【発明の概要】
【発明が解決しようとする課題】
【０００５】
しかしながら、上記ＧＭ冷凍機では、駆動に伴う振動及び外部からの振動に対して主に駆動軸に負荷がかかり、不安定な動作（往復動）となるおそれがあり、さらには駆動軸が破損するおそれもある。特に、ＧＭ冷凍機を車両（列車、自動車等）に搭載する場合、外部からの振動に対する耐久性や動作の信頼性の面で問題がある。
【０００６】
本発明は、このような事情に鑑みて為されたものであり、振動に対する不安定な動作を軽減し、装置の耐久性及び動作の信頼性を向上させることができるＧＭ冷凍機を提供することを目的とする。
【課題を解決するための手段】
【０００７】
請求項１に記載の発明は、シリンダと、前記シリンダ内に往復動可能に配置されると共に、蓄冷器が内蔵されたディスプレーサと、前記シリンダに固定されたクランクケースと、前記クランクケースに収容されるとともに、回転中心から偏心した偏心部を有するカムシャフトと、前記ディスプレーサと前記偏心部とを連結させる連結ロッドと、駆動装置と、前記カムシャフトと連結し前記駆動装置の駆動力を前記カムシャフトに伝達する駆動軸と、作動ガスを圧縮する圧縮機と、前記シリンダと前記圧縮機の間に配置された圧力切替弁機構と、を備えるＧＭ冷凍機であって、前記駆動軸は、前記クランクケースの一方の壁部を構成する一方壁部に回転可能に支持され、前記カムシャフトの一端部は、前記駆動軸に連結され、前記カムシャフトの他端部は、前記一端部と同軸上で、前記一方壁部に対向する前記クランクケースの他方壁部に回転可能に支持されている。
【０００８】
請求項２に記載の発明は、請求項１において、前記カムシャフトの一端部は、前記駆動軸に連結されると共に、前記一方壁部に回転可能に支持されている。
【０００９】
請求項３に記載の発明は、請求項１又は２において、前記カムシャフトは、前記駆動軸に連結される接続部と、前記接続部から偏心した前記偏心部と、前記偏心部から前記他方壁部まで延びる延長部と、を備え、前記偏心部は、前記他方壁部から前記一方壁部に向かって見た場合に、全体が前記接続部の内側に位置している。
【発明の効果】
【００１０】
請求項１に記載の発明によれば、駆動軸がクランクケースの一方壁部に回転可能に支持され、駆動軸に連結したカムシャフトがクランクケースの他方壁部に駆動軸と同軸上で回転可能に支持されている。つまり、駆動軸及びカムシャフトがクランクケースの対向する両壁に同軸的に支持されている。これにより、振動に対する負荷が分散し、安定して動作することできると共に、駆動軸に加わる負荷を軽減することができる。つまり、本発明によれば、振動に対する動作の信頼性及び装置の耐久性を向上させることができる。
【００１１】
請求項２に記載の発明によれば、カムシャフトがクランクケースの両壁に支持されているため、駆動軸に直接的に負荷がかかりにくく、振動による駆動軸への負荷がさらに軽減される。これにより、振動に対する動作の信頼性及び装置の耐久性をさらに向上させることができる。
【００１２】
請求項３に記載の発明によれば、駆動軸と同軸上で他方壁部から一方壁部（又は一方壁部から他方壁部）に向かって見た場合に、偏心部全体が接続部の内側に位置している。これにより、接続部は偏心部より大径となって耐久性が向上し、偏心部及び接続部は例えば１つの大径の部材から製造することができる。つまり、本発明によれば、接続部の耐久性を向上させると共に、偏心部及び接続部の形成を容易にすることができる。
【図面の簡単な説明】
【００１３】
【図１】第一実施形態のＧＭ冷凍機の構成を示す正面から見た断面図である。
【図２】第一実施形態のＧＭ冷凍機の構成を示す側面から見た部分断面図である。
【図３】第一実施形態の連結ロッドを示す側面から見た概念図である。
【図４】第一実施形態のカムシャフトを示す斜視図である。
【図５】第二実施形態のＧＭ冷凍機の構成を示す正面から見た断面図である。
【図６】第二実施形態のカムシャフトを説明するための側面から見た概念図である。
【図７】第一実施形態の変形態様を示す正面から見た断面図である。
【発明を実施するための形態】
【００１４】
以下、本発明の実施形態について図に基づいて説明する。なお、図面は、構成を説明するための概念図であり、必ずしも細かな構成及び寸法を規定するものではない。また、以下の各実施形態相互において、互いに同一もしくは均等である部分には、図中、同一符号を付してある。また、実施形態のＧＭ冷凍機は、車両に搭載される車両用ＧＭ冷凍機である。
【００１５】
本実施形態のＧＭ冷凍機は、図１及び図２に示すように、シリンダ１と、ディスプレーサ２と、クランクケース３と、連結ロッド４と、カムシャフト５と、駆動軸６と、駆動装置７と、圧力切替弁機構８と、圧縮機９と、を備えている。
【００１６】
シリンダ１は、有底筒状で大径の第一シリンダ部１１と、有底筒状で小径の第二シリンダ部１２と、第一シリンダ部１１の低温端側に固定された第一コールドヘッド１３と、第二シリンダ部１２の低温端側に固定された第二コールドヘッド１４と、を備えている。
【００１７】
第一シリンダ部１１は、高温側にフランジ部１１ａが設けられている。第一シリンダ部１１のフランジ部１１ａと、後述するクランクケース３のフランジ部３ａとが複数のボルト（図２参照）により気密に固定されている。
【００１８】
ディスプレーサ２は、大径の第一ピストン部２１と、小径の第二ピストン部２２と、第一ピストン部２１と第二ピストン部２２とを連結する継手２３と、を備えている。第一ピストン部２１は、第一シリンダ部１１内に往復動可能に収容されている。第一ピストン部２１は、第一蓄冷器２１ａを内蔵している。
【００１９】
ディスプレーサ２については公知のものを用いているため簡単に説明する。第一ピストン部２１は、有底筒状のピストン本体２１１と、ピストン本体２１１の開口を覆うようにピストン本体２１１に固定されるキャップ２１２と、を有している。第一ピストン部２１には、ピストン本体２１１とキャップ２１２により内部空間Ａが形成されている。第一蓄冷器２１ａは、第一ピストン部２１の内部空間Ａに収容されている。第一蓄冷器２１ａは、内部空間Ａにおいて、複数の金網などの蓄冷材等により構成されている。
【００２０】
ピストン本体２１１は、高温側に底壁２１１ａを有し、当該底壁２１１ａには内部空間Ａと外部（第一シリンダ部１１の高温端側の内部空間Ｂ０）とを連通させる貫通孔２１１ｂが形成されている。第一ピストン部２１（ピストン本体２１１）低温側の外周面には、内部空間Ａと外部（第一シリンダ部１１の低温端側の内部空間Ｂ１）に連通する貫通孔２１１ｂが形成されている。キャップ２１２には継手２３が固定されている。
【００２１】
内部空間Ｂ０は、第一シリンダ部１１内において、ピストン本体２１１の底壁２１１ａと第一シリンダ部１１の底壁１１ｂの間に形成される空間であり、背面室Ｂ０と称する。内部空間Ｂ１は、第一シリンダ部１１内において、キャップ２１２と第一シリンダ部１１の低温端壁１１ｃとの間に形成される空間であり、第一膨張室Ｂ１と称する。
【００２２】
第二ピストン部２２は、主に第二シリンダ部１２内に往復動可能に収容されている。第二ピストン部２２は、第二蓄冷器２２ａを内蔵している。第二ピストン部２２は、筒状のピストン本体２２１と、ピストン本体２２１の低温側開口を覆うようにピストン本体２２１に固定されるキャップ２２２と、を有している。ピストン本体２２１の高温側の開口には継手２３が挿入されて固定されている。
【００２３】
第二ピストン部２２には、ピストン本体２２１、キャップ２２２、及び継手２３により内部空間Ｃが形成されている。第二蓄冷器２２ａは、内部空間Ｃに収容されている。第二蓄冷器２２ａは、内部空間Ｃにおいて、微小な鉛球状の蓄冷材や当該球状の蓄冷材の流出を防止する網状の蓄冷材等により構成されている。
【００２４】
第二ピストン部２２低温側の外周面には、内部空間Ｃと外部（第二シリンダ部１２の低温端側の内部空間Ｂ２）とを連通させる貫通孔２２１ａが形成されている。第二ピストン部２２高温側の外周面には、内部空間Ｃと外部（第二シリンダ部１２内部）とを連通させる貫通孔２２１ｂが形成されている。内部空間Ｂ２は、第二シリンダ部１２内において、キャップ２２２と第二シリンダ部１２の低温端壁１２ａとの間に形成される空間であり、第二膨張室Ｂ２と称する。
【００２５】
クランクケース３は、第一シリンダ部１２の高温端部（フランジ部１１ａ及び底壁１１ｂ）に固定された金属製容器であって、内部に主に連結ロッド４及びカムシャフト５を収容している。クランクケース３には、内部と背面室Ｂ０とを連通させる貫通孔３ｚが形成されている。貫通孔３ｚは、ディスプレーサ２の延伸方向（長手方向）、すなわちシリンダ１の低温側から高温側（高温側から低温側）に向かう方向に延びている。
【００２６】
クランクケース３は、ディスプレーサ２の延伸方向に直交する方向（後述する駆動軸６の軸方向）に対面する一方の側壁位置に開口部３ｂを有すると共に、開口部３ｂに対向する側壁３０（「他方壁部」に相当する）に支持部３ｃを有している。開口部３ｂには、駆動装置７が嵌合されて固定されている。支持部３ｃは、側壁に設けられた凹状の窪みである。後述するが、クランクケース３又は駆動装置７には、図２に示すように、高圧ポート３１と、低圧ポート７２と、背面室Ｂ０につながる流路３３、３４とが形成されている（一部、図１では省略している）。
【００２７】
連結ロッド４は、鉄製のロッドヨークであって、貫通孔３ｚを通って第一ピストン部２１と後述するカムシャフト５の偏心部５１とを連結している。連結ロッド４は、棒状の第一本体４１と、棒状の第二本体４２と、環状の環状部４３と、を備えている。
【００２８】
第一本体４１の一端は、第一ピストン２１に固定され、第一本体４１の他端は、環状部４２と一体になっている。第二本体４２の一端は、環状部４２と一体になっており、第二本体４２の他端は、クランクケース３の底壁３ｙに設けられた凹部３ｄ内に往復動可能に収容されている。
【００２９】
環状部４３は、第一本体４１と第二本体４２の間で且つクランクケース３の内部に位置している。環状部４３は、図１及び図３に示すように、開口部３ｂから支持部３ｃに向かって貫通する四角枠状に形成されている。環状部４３は、第一本体４１側のコの字型部位と第二本体４２側のコの字型部位とをボルト（図示せず）で固定することで形成できる。
【００３０】
カムシャフト５は、鉄製の冷凍機カムであって、図１及び図４に示すように、接続部５１と、偏心部５２と、延長部５３と、を備えている。接続部５１は、棒状の部材であって、一端に駆動軸６が同軸的に嵌合する凹部５１ａを有し、他端の回転中心から偏心した位置に偏心部５２と嵌合する凹部５１ｂを有している。接続部５１は、開口部３ｂから支持部３ｃに向かう方向に延びている。本実施形態では、接続部５１の一端は、クランクケース３の内部空間に位置している。
【００３１】
偏心部５２は、一端が接続部５１の凹部５１ｂに嵌合固定され、他端が接続部５１及び駆動軸６と同軸上に位置するように湾曲した棒状の部材である。偏心部５２は、接続部５２より小径である。偏心部５２は、連結ロッド４の環状部４３の環状内側に、長方形の環状の幅方向中央に配置されている。つまり、偏心部５２と環状部４３は、接続部５１（駆動軸６）の回転に対して上下方向に係合している。
【００３２】
延長部５３は、棒状の部材であって、偏心部５２の他端からクランクケース３の支持部３ｃまで、接続部５１及び駆動軸６と同軸的に延びている。つまり、延長部５３の一端は、偏心部５２の他端に固定され、延長部５３の他端は、支持部３ｃに挿入されベアリング３ｅを介して回転可能に支持されている。
【００３３】
駆動軸６は、鉄製のモータシャフトであって、モータである駆動装置７の駆動力を伝達するものである。駆動軸６は、カムシャフト５の接続部５１の凹部５１ａに挿入されて嵌合固定され、駆動装置７の駆動力をカムシャフト５に伝達する。駆動軸６は、接続部５１及び延長部５３と同軸上に配置されている。
【００３４】
駆動装置７は、モータであり、当該モータのハウジング７１が開口部３ｂに嵌合固定されている。つまり、ハウジング７１がクランクケース３の側壁（「一方壁部」に相当する）を構成している。駆動装置７は、ロータ７３の両端側それぞれに駆動軸６を回転可能に支持するベアリング７ａ、７ｂを有している。駆動装置７が駆動軸６を回転させ、駆動軸６の回転に連動してカムシャフト５が回転し、カムシャフト５の偏心部５２の回転に連動して連結ロッド４が往復動（上下動）し、連結ロッド４の往復動に連動してディスプレーサ２がシリンダ１内で往復動する。
【００３５】
圧力切替弁機構８は、公知のものを用いており、偏心部５２の回転に応じて開閉するバルブ機構である。切替弁８は、図２に示すように、高圧側切替弁８１と、低圧側切替弁８２と、を備えている。各切替弁８１、８２は、それぞれカムシャフト５（又はそれを含む駆動機構）に連動したカム８１ａ、８２ａにより開閉される。１サイクルにおいて、低圧側切替弁８２が開状態では高圧側切替弁８１が閉状態となり、低圧側切替弁８２が閉状態では高圧側切替弁８１が開状態となる。カム８１ａ、８２ａは、偏心部５２に押されることで切替弁８１、８２を開状態とする。
【００３６】
高圧側切替弁８１は、高圧ポート３１と流路３３を接続し、カム８１ａの状態に応じて両者間の弁を開閉する弁機構である。高圧ポート３１は、圧縮機９の吐出口９１と高圧側切替弁８１とをつなぐための流路である。高圧側切替弁８１が開状態となると、高圧の作動ガスが、圧縮機９から高圧ポート３１、高圧側切替弁８１、及び流路３３を介して背面室Ｂ０に供給される。
【００３７】
低圧側切替弁８２は、クランクケース３内部空間と流路３４とを接続し、カム８２ａの状態に応じて両者間の弁を開閉する弁機構である。クランクケース３の内部空間は、ハウジング７１内及び低圧ポート７２を介して圧縮機９の吸入口９２に連通している。つまり、低圧ポート７２は、圧縮機９の吸入口９２とクランクケース３の内部空間とをつなぐための流路である。低圧側切替弁８２が開状態になると、低圧の作動ガスが、背面室Ｂ０から流路３４、低圧側切替弁８２、クランクケース３内部空間、及び低圧ポート７２を介して圧縮機９の吸入口に導入される。圧縮機９は、作動ガスを圧縮する装置である。
【００３８】
ＧＭ冷凍機の冷凍過程については公知であるため詳細な説明は省略する。ディスプレーサ２の１サイクルの往復動により、第一膨張室Ｂ１及び第二膨張室Ｂ２において、作動ガスがそれぞれ膨張仕事（ＰＶ仕事）を為す。これにより、第一膨張室Ｂ１及び第二膨張室Ｂ２で冷凍作用が発生する。
【００３９】
本実施形態のＧＭ冷凍機によれば、カムシャフト５の他端部がクランクケース３の支持部３ｃに回転可能に支持されることで、カムシャフト５及び駆動軸６がクランクケース３の両端側で支持され、カムシャフト５の回転が安定する。つまり、本実施形態によれば、振動に対しても安定してカムシャフト５が回転し、ＧＭ冷凍機を精度良く作動させることができる。ＧＭ冷凍機における往復動作の信頼性は向上する。
【００４０】
また、カムシャフト５の他端が支持されていることで、カムシャフト５や駆動軸６に加わる負荷が分散し、振動に対する耐久性が向上し、駆動軸６の破損等を抑制することができる。本実施形態では、カムシャフト５及び駆動軸６が異なる３箇所のベアリング３ｅ、７ａ、７ｂで３点支持されており、安定した作動が可能となる。
【００４１】
なお、クランクケース３の開口部３ｂに嵌合した駆動装置７のハウジング部分７１は、クランクケース３の一方の側壁を構成しており、クランクケース３の側壁ともいえる。つまり、カムシャフト５及び駆動軸６は、内部空間を区画するクランクケース３の対向する両側壁３０、７１に支持されている。
【００４２】
＜第二実施形態＞
第二実施形態のＧＭ冷凍機は、第一実施形態と比べて、主にカムシャフトの構成が異なっている。第一実施形態と同様の構成については同符号を付して説明を省略する。図５では、図１と同構成である一部の構成を省略して表している。
【００４３】
図５に示すように、第二実施形態のカムシャフト５Ａは、接続部５１Ａと、偏心部５２と、延長部５３と、を備えている。接続部５１Ａは、棒状の部材であって、第一実施形態同様、一端に駆動軸６が同軸的に嵌合する凹部５１ａを有し、他端の回転中心から偏心した位置に偏心部５２と嵌合する凹部５１ｂを有している（図４参照）。接続部５１Ａは、開口部３ｂから支持部３ｃに向かう方向に延びている。
【００４４】
ここで、第二実施形態では、接続部５１Ａの一端が開口部３ｂを塞ぐハウジング７１（クランクケース３の一方側壁）にまで延び、接続部５１Ａの一端が当該ハウジング７１の支持部７１ａに回転可能に支持されている。駆動軸６は、クランクケース３の内部空間に位置しない。
【００４５】
支持部７１ａは、ハウジング７１において駆動軸６が挿入される貫通孔を形成する部位の一部であって、クランクケース３内部側の端部に位置している。支持部７１ａにはベアリング７ｃが配置されている。支持部７１ａは、支持部３ｃに対して同軸上に位置している。接続部５１Ａは、ハウジング７１内で駆動軸６と連結されると共に、ベアリング７ｃを介して支持部７１ａ（ハウジング７１）に回転可能に支持されている。第一実施形態同様、ハウジング７１は、クランクケース３の開口部３ｂ側の側壁として兼用される。
【００４６】
第二実施形態によれば、カムシャフト５Ａがクランクケース３の両側壁で同軸的に支持されるため、より安定的に回転することができる。換言すると、第二実施形態では、カムシャフト５Ａの両端がクランクケース３に支持された構造となっている。第二実施形態によれば、振動に対して安定して精度良くＧＭ冷凍機を作動させることができる。そして、カムシャフト５Ａと駆動軸６が支持部７１ａ以降（支持部７１ａを含み支持部７１ａよりも駆動装置７側）で連結されることで、比較的破損しやすいモータシャフトである駆動軸６に対して、振動による負荷がかかりにくく、駆動軸６の破損をより抑制することができる。
【００４７】
第二実施形態によれば、カムシャフト５Ａ及び駆動軸６は、異なる４箇所のベアリング３ｅ、７ａ、７ｂ、７ｃで４点支持されており、振動に対してより安定した回転動作を可能とする。
【００４８】
また、第二実施形態において、カムシャフト５Ａは、図６に示すように、駆動軸６と同軸上で支持部３ｃから開口部３ｂに向かって見た場合（又は開口部３ｂから支持部３ｃに向かって見た場合）に、偏心部５２全体が接続部５１Ａの内側（輪郭線上を含む）に位置するように形成されている。これは、接続部５１Ａの直径を大きくし、接続部５１Ａの端面内から偏心部５２が突出するように形成される。
【００４９】
この構成によれば、接続部５１Ａが大径になることで耐久性を向上させると共に、１つの大径部材から接続部５１Ａ及び偏心部５２（又は凹部５１ｂ）を製造でき、カムシャフト５の製造を容易にすることができる。この構成は、図７に示すように第一実施形態のカムシャフト５にも適用できるが、接続部５１Ａが支持部７１ａに支持されて負荷を受ける第二実施形態において特に効果的である。なお、図７は、図１と同構成である一部の構成を省略して表している。
【００５０】
＜変形態様＞
本発明は、上記実施形態に限られない。例えば、カムシャフト５、５Ａは、一体成形されたものでも良い。この場合、製造上、第二実施形態のように、偏心部５２が、側面視において接続部５１、５１Ａの内側に配置されていることが好ましい。一方、第二実施形態において、偏心部５２は、側面視で接続部５１Ａからはみ出していても良い。本発明は、上記のように、振動に対する耐久性及び動作の信頼性が高く、車両に搭載される車両用ＧＭ冷凍機に最も適している。
【符号の説明】
【００５１】
１：シリンダ、  ２：ディスプレーサ、  
３：クランクケース、  ３０：側壁（他方壁部）、
４：連結ロッド、  ５，５Ａ：カムシャフト、  ５１，５１Ａ：接続部、
５２：偏心部、  ５３：延長部、
６：駆動軸、  ７：駆動装置、  ７１：ハウジング（一方壁部）、
８：圧力切替弁機構、  ９：圧縮機
【図１】
2014006001.tif 000003
【図２】
2014006001.tif 000004
【図３】
2014006001.tif 000005
【図４】
2014006001.tif 000006
【図５】
2014006001.tif 000007
【図６】
2014006001.tif 000008
【図７】
2014006001.tif 000009